(57)【特許請求の範囲】
【請求項１】
光ケーブルを各心線に分配して接続するコネクタ収納ケースにおいて、
前記コネクタ収納ケースが、前記光ケーブルの各心線の許容曲率半径を確保して該光ケーブルの各心線を受ける心線受部と該心線受部からの各心線を受ける余長収納部とが蝶番で接続されて、該余長収納部を箱構造の該心線受部の上に積層した構造であり、該箱構造の該心線受部の一側壁にコネクタ収納部が設けられ、かつ前記余長収納部は余長受部と該余長受部に設けた複数枚の保持シートとで形成されており、
前記心線受部では、外部から該心線受部に引き込まれた前記各心線の一群を前記心線受部の心線ガイド部の外周側に順方向に掛け渡し、かつ外部から該心線受部に引き込まれる前記各心線の他の群を前記心線受部の心線ガイド部にＳ字状に掛け渡した後逆方向に掛け渡して受け、前記心線受部で受けた各心線をそれぞれ左右均等に二群に分配して前記余長収納部に送り込み、前記心線受部からの各心線を前記保持シートのそれぞれにループ状に保持して収納し、該保持シートに収納した該各心線が、前記二群に分配された状態を維持したまま再び前記心線受部に各群が左側および右側からそれぞれ送り込まれた後、該各心線の端部を前記コネクタ収納部の各ソケットに接続したことを特徴とする光ケーブル用コネクタ収納ケース。
【請求項２】
前記複数の保持シートがルーズリーフ状に前記余長収納部に設けられていることを特徴とする請求項１に記載の光ケーブル用コネクタ収納ケース。
【請求項３】
前記保持シートが前記心線を挟んで保持するための複数の舌片部を具えることを特徴とする請求項２に記載の光ケーブル用コネクタ収納ケース。
【請求項４】
前記心線受部には、前記各心線の一群を順方向に掛け渡すとともに前記各心線の他の群をＳ字状に掛け渡して逆方向に引き出すための円形状の第１と第２の心線ガイド部を具えたことを特徴とする請求項１，２又は３に記載の光ケーブル用コネクタ収納ケース。
【請求項５】
前記ソケットがラッチ機構を備えた雄型ソケットであり、該ラッチ機構を受けるラッチ受部を前記コネクタ収納部のソケット装着部に設けることにより、該ソケットを該ソケット装着部に着脱自在としたことを特徴とする請求項１，２，３又は４に記載の光ケーブル用コネクタ収納ケース。
【発明の詳細な説明】
【技術分野】
【０００１】
本発明は、光ケーブル用コネクタ収納ケースに関し、詳しくは光ケーブルを細分化した光ファイバ心線の余長部を収納する余長収納部を有し、各心線の端部をソケットに接続するコネクタ収納ケースであり、収納ケースの構造と配線形態とにより外観形状を小型化した光ケーブル用コネクタ収納ケースに関するものである。
【背景技術】
【０００２】
従来、光通信ケーブルが敷設されたビル等の建築物では、図６（ａ），（ｂ）に示すように、複数本の光ファイバ心線３を収容した光ケーブル１が引き込まれ、管理室等に分岐接続箱２を設け、分岐接続箱２内にて光ケーブル１の光ファイバ心線を細分化した分岐光ファイバ心線３ａを余長収納部４等を介し各サービスエリアに分配している。余長収納部４には光ファイバ心線３ａの余長部を一定の曲率半径を保って収納する心線ガイド部５が備えられたトレイ４ａが設けられている。余長収納部４のトレイ４ａは、複数の光ファイバ心線３に対応できるように複数設けられ、各トレイ４ａから光ファイバ心線３ａを光アクセス装置６に接続して複数のサービスエリアに光通信サービスを提供している。（例えば、特許文献１参照）
【０００３】
【特許文献１】特開２００１−０５１１３０号公報（明細書段落〔００２２〕〜〔００２５〕，図面図２，図３）
【発明の開示】
【発明が解決しようとする課題】
【０００４】
しかしながら、上記従来例では、一本の光ファイバ心線に対して一個のトレイが必要であり、多数のサービスエリアをカバーするには、分岐光ファイバ心線の本数を増大させる必要があり、余長収納部のトレイの個数も増加することになり、その結果、分岐接続箱の形状が大きくなる欠点があった。また、形状の大きな分岐接続箱を建築物内の管理室等に設置するのは困難な面もあり、殊に既設の建築物の管理室等にはスペース的に余裕がなく、管理室等に分岐接続箱を設置するには可能な限り小型であることが望ましい。また、多数の分岐光ファイバ心線を束ねて配線した場合、施工が煩雑になり、保守点検にも煩わしいといった欠点があった。
【０００５】
本発明は、上述のような課題に鑑みなされたものであり、外観形状を小型化することができ、しかも光ファイバ心線の配線形態が整理し易く、施工及び保守点検作業が容易となる光ケーブル用コネクタ収納ケースを提供することを目的とするものである。
【課題を解決するための手段】
【０００６】
本発明は、上記課題を解決したものであり、請求項１の発明は、光ケーブルを各心線に分配して接続するコネクタ収納ケースにおいて、
前記コネクタ収納ケースが、前記光ケーブルの各心線の許容曲率半径を確保して該光ケーブルの各心線を受ける心線受部と該心線受部からの各心線を受ける余長収納部とが蝶番で接続されて、該余長収納部を箱構造の該心線受部の上に積層した構造であり、該箱構造の該心線受部の一側壁にコネクタ収納部が設けられ、かつ前記余長収納部は余長受部と該余長受部に設けた複数枚の保持シートとで形成されており、
前記心線受部では、外部から該心線受部に引き込まれた前記各心線の一群を前記心線受部の心線ガイド部の外周側に順方向に掛け渡し、かつ外部から該心線受部に引き込まれる前記各心線の他の群を前記心線受部の心線ガイド部にＳ字状に掛け渡した後逆方向に掛け渡して受け、前記心線受部で受けた各心線をそれぞれ左右均等に二群に分配して前記余長収納部に送り込み、前記心線受部からの各心線を前記保持シートのそれぞれにループ状に保持して収納し、該保持シートに収納した該各心線が、前記二群に分配された状態を維持したまま再び前記心線受部に各群が左側および右側からそれぞれ送り込まれた後、該各心線の端部を前記コネクタ収納部の各ソケットに接続したことを特徴とする光ケーブル用コネクタ収納ケースである。
【０００７】
また、請求項２の発明は、前記複数の保持シートがルーズリーフ状に前記余長収納部に設けられていることを特徴とする請求項１に記載の光ケーブル用コネクタ収納ケースである。
【０００８】
また、請求項３の発明は、前記保持シートが前記心線を挟んで保持するための複数の舌片部を具えることを特徴とする請求項２に記載の光ケーブル用コネクタ収納ケースである。
【０００９】
また、請求項４の発明は、前記心線受部には、前記各心線の一群を順方向に掛け渡すとともに前記各心線の他の群をＳ字状に掛け渡して逆方向に引き出すための円形状の第１と第２の心線ガイド部を具えたことを特徴とする請求項１，２又は３に記載の光ケーブル用コネクタ収納ケースである。
【００１０】
また、請求項５の発明は、前記ソケットがラッチ機構を備えた雄型ソケットであり、該ラッチ機構を受けるラッチ受部を前記コネクタ収納部のソケット装着部に設けることにより、該ソケットを該ソケット装着部に着脱自在としたことを特徴とする請求項１，２，３又は４に記載の光ケーブル用コネクタ収納ケースである。
【発明の効果】
【００１３】
請求項１の発明では、光ケーブルを各心線に分配して接続するコネクタ収納ケースにおいて、
前記コネクタ収納ケースが、前記光ケーブルの各心線の許容曲率半径を確保して該光ケーブルの各心線を受ける心線受部と該心線受部からの各心線を受ける余長収納部とが蝶番で接続されて、該余長収納部を箱構造の該心線受部の上に積層した構造であり、該箱構造の該心線受部の一側壁にコネクタ収納部が設けられ、かつ前記余長収納部は余長受部と該余長受部に設けた複数枚の保持シートとで形成されており、
前記心線受部では、外部から該心線受部に引き込まれた前記各心線の一群を前記心線受部の心線ガイド部の外周側に順方向に掛け渡し、かつ外部から該心線受部に引き込まれる前記各心線の他の群を前記心線受部の心線ガイド部にＳ字状に掛け渡した後逆方向に掛け渡して受け、前記心線受部で受けた各心線をそれぞれ左右均等に二群に分配して前記余長収納部に送り込み、前記心線受部からの各心線を前記保持シートのそれぞれにループ状に保持して収納し、該保持シートに収納した該各心線が、前記二群に分配された状態を維持したまま再び前記心線受部に各群が左側および右側からそれぞれ送り込まれた後、該各心線の端部を前記コネクタ収納部の各ソケットに接続したことを特徴とする光ケーブル用コネクタ収納ケースであるので、多数の心線（光ファイバ心線）が小型のケース内に集約されて収納され、しかも各心線が許容範囲内の曲率半径内に収まって、各心線の端部が各ソケットに接続されて収納される利点があり、心線の曲げ損失を少なくし、かつ心線の許容曲率半径を超える曲げにより微細な傷が発生するのを抑えて心線自体の寿命を低下させない利点がある。
さらにまた、このコネクタ収納ケースは、局側から引き込まれる光ケーブルを受け、光ケーブルに収納された各心線を細分化して分配することができ、例えば、光通信ネットワークにおける管理室内に設置される分岐接続箱（スプリッタ装置）に組み込むことが可能であり、小型化したコネクタ収納ケースを用いることによって、スプリッタ装置自体の形状も小型化することができ、オフィスビルや高層住宅等のスペースの限られた既存の管理室であっても設置することが可能になる利点がある。無論、このコネクタ収納ケースは、局側から引き込まれる１心の光ケーブルを、大型のスプリッタ装置を用いることなく、分岐し各サービスエリアに分配することが可能である。
【００１４】
また、請求項１の発明では、前記余長収納部と前記心線受部とが蝶番により接続され、局側から引き込まれる光ケーブルを受ける心線受部と余長収納部とを積層した箱構造であり、心線の曲率半径が許容範囲内であり、その心線の端部が箱状の心線受部の側壁に設けたコネクタ部に接続され、コネクタ収納ケースの形状を小型にできる利点があり、局側からの光ケーブルを各サービスエリアに分配するスプリッタ装置を小型化するのに有効である。
【００１５】
また、請求項１の発明では、前記余長収納部には余長受部と複数枚の保持シートとが設けられ、各心線を該保持シートにそれぞれループ状に保持して収納されており、心線の直径は極めて細く扱い難いものであるが、各心線を各保持シート毎に分配して収納することにより、作業性が向上し、結線ミスを低減することが可能である利点がある。
【００１６】
また、請求項２の発明では、前記複数の保持シートがルーズリーフ状に前記余長収納部に設けられていることを特徴とする請求項１に記載の光ケーブル用コネクタ収納ケースであるので、光ケーブルの本数に応じて保持シートの追加や削除が容易である利点がある。
【００１７】
また、請求項３の発明では、前記保持シートが前記心線を挟んで保持するための複数の舌片部を具えることを特徴とする請求項２に記載の光ケーブル用コネクタ収納ケースであり、心線の曲率半径が許容範囲内に保て収納できるし、コネクタ収納ケースの形状を小型にできる利点があり、作業性が向上し、結線ミスを低減することが可能である利点がある。
【００１８】
また、請求項４の発明では、前記心線受部には、前記各心線の一群を順方向に掛け渡すとともに前記各心線の他の群をＳ字状に掛け渡して逆方向に引き出すための円形状の第１と第２の心線ガイド部を具えたことを特徴とする請求項１，２又は３に記載の光ケーブル用コネクタ収納ケースであるので、光ケーブルを円形状の第１と第２の心線ガイド部に収納し、光ケーブルの各心線を余長収納部で受け、各心線の端部をソケットに装着した後に、ソケットをケースの嵌合部に装着することによって、心線を極端に曲げて心線端部をソケットに装着する必要がなく、極端な曲げによる心線の表面に微細な傷が生じたりするといった問題を解消することができるし、光ケーブルのそれぞれを左右対称に分配することができる。また、心線に一群（光ケーブル）を順方向に掛け渡すのに対し、他方の心線の一群（他の光ケーブル）はＳ字状に掛け渡した後逆方向に掛け渡されており、各心線の曲率半径を許容範囲内に保ちつつ、心線受部で受けた各心線を左右均等に分配して余長収納部に送り込み、余長収納部の両側から各心線が導出されて各心線の端部をソケットに差し込むことが可能であり、心線受部における各心線を左右に分配して配線が行われており、配線の作業性に優れ、外観形状を小型化にできる利点がある。
【００１９】
また、請求項５の発明では、前記ソケットがラッチ機構を備えた雄型ソケットであり、該ラッチ機構を受けるラッチ受部を前記コネクタ収納部のソケット装着部に設けることにより、該ソケットを該ソケット装着部に着脱自在としたことを特徴とする請求項１，２，３又は４に記載の光ケーブル用コネクタ収納ケースであるので、外部コネクタを装着するとラッチ機構により簡単に抜脱することがなく、信頼性の高い施工が可能である。また、蓋体を開口しラッチ機構を操作することにより、心線に負荷が加わることなく、簡単に外部コネクタを抜脱することが可能である利点がある。また、雄型ソケットのラッチ機構を上側から指などで押圧することによって、ラッチ受部と接触するラッチ機構が下側からも押圧されて外部コネクタとのラッチが解除され、外部コネクタを雄型ソケットから挿抜することができる利点がある。
【発明を実施するための最良の形態】
【００２０】
以下、本発明に係る光ケーブル用コネクタ収納ケースについて、図面を参照して説明する。本発明の光ケーブル用コネクタ収納ケースは、例えば光通信ネットワークにおける局側から光ケーブルを建築物内に引き込んで中継するスプリッタ装置に組み込まれたり、或いは１心の光ケーブルを分配して各サービスエリアに配線する際に使用されるものである。先ず、図面について説明する。図１は本発明の光ケーブル用コネクタ収納ケースの一実施形態を示し、（ａ）はその正面図、（ｂ）そのコネクタ側の側面図、（ｃ）はその下側面図、（ｄ）はそのＡ−Ａ矢視の要部断面図である。図２は本実施形態におけるケース本体であり、（ａ）はそのケース内面図、（ｂ）はそのコネクタ側の前側面図、（ｃ）はその下側面図、（ｄ）はそのＢ−Ｂ矢視の要部断面図、（ｅ）はその底面図である。図３は本実施形態におけるケース構造蓋体であり、（ａ）はケース構造蓋体を開いた展開図、（ｂ）はその側面図、（ｃ）は保持シートの平面図である。図４は本実施形態の心線の配線図であり、（ａ）は心線受部の配線図、（ｂ）はケース構造蓋体内のテープ心線収容部の配線図、（ｃ）は保持シートによる単心線の配線図である。図５は、本実施形態において、ソケット装着部に雄型ソケットを装着した形態を示す説明図である。
【００２１】
先ず、図１（ａ）〜（ｄ）を参照し、本実施形態のコネクタ収納ケースについて説明する。本実施形態の外観形状が箱形状であり、コネクタ収納ケース１０は、蝶番１１によりケース本体１２とケース構造蓋体１３とが回動自在に設けられ、ケース構造蓋体１３の上下側壁部には掛合部１４が設けられ、ケース本体１２とケース構造蓋体１３とを掛合部１４により係止することができる。ケース本体１２の前側壁部１２ａには、光ソケット１５が所定間隔で着脱自在に設けられるためのコネクタ収納部が形成され、このコネクタ収納部にソケット装着部１２ｂが形成されている。ケース本体１２の下側壁部１６には、光ケーブルのテープ心線を引き込むための引き込み孔１６ａが設けられ、引き込み孔１６ａに隣接しテープ心線を緩やかに押圧する緩嵌部１６ｂが設けられている。ケース構造蓋体１３は、ケース構造体１３ａと蓋体１３ｂとがヒンジ部１３ｃで開閉自在とし、蓋体１３ｂがケース構造体１３ａの開口部を覆うように設けられ、蓋体１３ｂの前端部に設けられた係合部１３ｄによりケース構造体１３ａに係止される。
【００２２】
光ソケット１５は、ケース本体１２の前側壁部１２ａのソケット装着部１２ｂに装着され、ケース本体１２の開口部をケース構造蓋体１３の開口部を閉じることにより、ケース本体１２のソケット装着部１２ｂに設けられた嵌合孔１２１  とケース構造体１３ａに設けられた係止部１３１  とに、光ソケット１５の上下部に設けられた突起部１５ａが係合し、ケース構造蓋体１３とケース本体１２とを閉じた状態で光ソケット１５をケース本体１２から抜脱することはできない。
【００２３】
次に、本実施形態について、図２を参照してケース本体１２の内部構造について説明する。ケース本体１２の内底面には心線受部１２Ａが形成され、心線受け部１２Ａは円形状に突出する心線ガイド部１２ｃが二箇所設けられ、心線ガイド部１２ｃの上部に突片１２ｄが設けられ、心線ガイド部１２ｃ同士の隣接部の側壁中央部にも突片１２ｅが設けられている。心線ガイド部１２ｃと突片１２ｄ，１２ｅはテープ心線が散乱しないようにガイドするためのものである。また、ケース本体１２の上下側壁部１６，１７の上部にも同様な突片１６ａ，１７ａが設けられている。
【００２４】
ケース本体１２の前側壁部１２ａ側には、光ソケット１５を装着するソケット装着部１２ｂが複数設けられたコネクタ収納部が形成され、ソケット装着部１２ｂには嵌合孔１２１ とともに光ソケット１５が係合する突起部１２２ が設けられ、光ソケット１５をソケット装着部１２ｂに嵌着することができる。本実施形態では、２本の４心テープ心線が使用され、心線が８本であるので、ソケット装着部１２ｂは、８箇所設けられている。また、１２ｆはテープ心線を緩慢に固定する緩嵌部であり、１２ｇは緩嵌部１２ｆから突出するテープ心線を緩慢にガイドする突起部である。
【００２５】
次に、本実施形態について図３を参照してケース構造蓋体１３について説明する。ケース構造蓋体１３は、ヒンジ部１３ｃで接続されたケース構造体１３ａと蓋体１３ｂとからなり、ケース構造体１３ａの内面には、円形状に突出する心線ガイド部１３ｄが設けられ、心線ガイド部１３ｄの上部に上下方向に突出する突出片１３ｅが設けられ、これら突出片１３ｅに対向してケース構造体１３ａの側壁から突出片１３ｆが突出しており、かつ２本のテープ心線をそれぞれに分離するテープ心線分離部１３ｇが設けられてテープ心線の余長受部１３Ａが形成されている。
【００２６】
さらに、ケース構造体１３ａの内部には、心線数に対応した枚数の保持シート１８（図３（ｃ））がルーズリーフ状に設けられている。本実施形態では、例えば４心テープ心線が２本使用された実施形態であるので８枚の保持シート１８が収納されている。保持シート１８は、心線を挟む舌片部１８ａが４箇所設けられ、その中央部に開口部１８ｂが設けられ、係合片１８ｃが設けられ、余長心線が舌片部１８ａに挟まれてループ状に捲き回して保持される余長収納部１３Ｂが形成されている。係合片１８ｃはケース構造体１３ａに係合し、ルーズリーフ状に収納される。蓋体１３ｂをヒンジ部１３ｃを基点として矢印Ｃの方向に回動させることによりケース構造体１３ａが閉じられ、ケース構造体１３ａ内には保持シート１８が収納される。蓋体１３ｂの係合部１３ｉがケース構造体１３ａの端部に係合し係止される。ケース構造体１３ａの両側には、切欠部１３ｈが設けられ、これらの切欠部１３ｈから心線を導出することができる。なお、１１ａはケース本体１２とケース構造蓋体１３とを繋ぐ蝶番軸受部である。
【００２７】
続いて、本実施形態の心線の配線形態について図４（ａ）〜（ｃ）を参照して説明する。光ケーブルに収納されたテープ心線は４心テープ心線であり、４本の光ファイバ心線が収容されている。これらチューブに被覆されたテープ心線Ｔ１，Ｔ２は、図４（ａ）に示すように、ケース本体１２の引き込み孔１６ａから引き込まれ、緩嵌部１２ｆに挟まれてコネクタ収納ケース内の心線受部１２Ａに収納されている。心線受部１２Ａでは、テープ心線Ｔ１が心線ガイド部１２ｃａの外周から心線ガイド部１２ｃｂの外周へと掛け渡され、テープ心線Ｔ１が順方向に捲き回されてケース構造体１３ａへと掛け渡されている。一方、テープ心線Ｔ２は心線ガイド部１２ｃａに掛け渡されて心線ガイド部１２ｃａと１２ｃｂとの間に挿通され、心線ガイド部１２ｃｂの内側から心線ガイド部１２ｃａの外周側へとＳ字状に掛け渡されている。このようにテープ心線Ｔ２は、テープ心線Ｔ１とは逆方向に捲き回されてケース構造体１３ａによる余長受部１３Ａへと掛け渡されている。
【００２８】
余長受部１３Ａでは、テープ心線Ｔ１，Ｔ２が互いに逆方向に心線ガイド部１３ｄの外周に捲き回されており、詳しくは、テープ心線Ｔ１がケース構造体１３ａの突出片１３ｅと突出片１３ｆとの隙間に挿通してテープ心線分離部１３ｇに挿通し、テープ心線Ｔ２が他方の突出片１３ｅと突出片１３ｆとの隙間に挿通してテープ心線分離部１３ｇに挿通し、それぞれのテープ心線Ｔ１，Ｔ２を余長収納部１３Ｂへと掛け渡されている。余長収納部１３Ｂは、テープ心線Ｔ１，Ｔ２の各心線をそれぞれ保持シート１８の各舌片部１８ａにループ状に掛けてソケット装着部１２ｂへと掛け渡されている。ソケット装着部１２ｂでは、それらの心線の端部が、ソケット装着部１２ｂに装着された光ソケット１５に差し込まれている。ソケット装着部１２ｂでの各心線は、図４（ａ）に二点鎖線で示したように、心線４本毎を一グループとし、各心線が許容された曲率半径の範囲内で互いに交差するようにループを描いて各光ソケット１５に差し込まれて収納されている。なお、余長収納部１３Ｂは、余長受部１３Ａを含めて心線の余長部を収納して調整する部分であり、余長受部１３Ａを含めて余長収納部１３Ｂと見なしてよい。
【００２９】
また、本実施形態のコネクタ収納ケースは、ソケット装着部１２ｂに雄型ソケット１９を装着することが可能である。雄型ソケット１９は、図５に示したように、その上下に突起部１９ａが設けられ、突起部１９ａの一つがソケット装着部１２ｂの嵌合孔１２１  に嵌合し、かつラッチ機構として雄型ソケット１９の上下に可動部１９ｂが設けられ、可動部１９ｂの先端に突起１９ｃが設けられている。雄型ソケット１９は、ソケット装着部１２ｂに装着した後、ケース構造蓋体１３を閉じることによって、ケース構造蓋体１３の内底面に設けられた係止部１３１  が雄型ソケット１９の上側に設けた起部１９ａに嵌合し、ソケット装着部１２ｂに固定される。
【００３０】
この雄型ソケット１９に外部コネクタ２０を装着することにより、可動部１９ｂの先端の突起１９ｃは外部コネクタ２０に設けた嵌合孔２０ａに係合し、外部コネクタ２０は、施工時や保守点検時に簡単に抜け落ちることがない。外部コネクタ２０を雄型ソケット１９から抜脱する際は、蓋体１３を開いて矢印Ｘ１で示したように、可動部１９ｂを矢印Ｘ１方向に押圧することにより、上側の可動部１９ｂの先端の突起１９ｃが嵌合孔２０ａから外れるとともに、下側の可動部１９ｂがソケット装着部１２ｂのラッチ受部１２３  が下側から押圧されてその先端の突起１９ｃが嵌合孔２０ａから外れる。このように矢印Ｘ１方向から押圧するのみで上下の突起１９ｃが外部コネクタ２０の嵌合孔２０ａから外れてラッチが解除され、外部コネクタ２０を矢印Ｘ２方向に引き抜くことによって、外部コネクタ２０を雄型ソケット１９から抜脱することができる。このようにコネクタ収納ケース１０のソケット装着部１２ｂに雄型ソケット１９を装着することによって、外部コネクタ２０は、可動部１９ｂの押圧操作を行わない限り、簡単に抜脱することがなく、施工や保守点検時の安全性及び信頼性を高めることができる。
【００３１】
上述のように、本発明のコネクタ収納ケースは、光ケーブルからの各心線を二群に分配し、各群の心線を順方向ターンと逆方向ターンとに捲き回した配線形態と積層構造とにより各心線をコンパクトに収納し、光ケーブル用コネクタ収納ケースの外観形状を小型化しており、さらに各心線の区別が容易になり、作業性が良好になる。また、上記実施形態では、４心のテ−プ心線を例示して説明したが、５心，８心の場合であってもよいし、また、テ−プ心線以外の光ファイバ心線であってもよいことは明らかである。また、コネクタ収納ケースの実装は、コネクタ収納ケースの底部を取付盤等に直に取り付けてもよいし、嵩上げ台座を介在させて取付盤等に取り付けて作業性を高めるようにしてもよい。
【産業上の利用可能性】
【００３２】
本発明の活用例としては、光ケーブルを各サービスエリアに分配するためのものであり、一例として、局側からの光ケ−ブルを引き込み分配する大型のスプリッタ装置に組み込まれて使用されたり、局側からの光ケ−ブルをコネクタ収納ケースを介して光通信の各サービスエリアに分配して使用される。
【図面の簡単な説明】
【００３３】
【図１】本発明の光ケーブル用コネクタ収納ケースの一実施形態を示し、（ａ）はその正面図、（ｂ）そのコネクタ側の前側面図、（ｃ）はその下側面図、（ｄ）はそのＡ−Ａ矢視の要部断面図である。
【図２】本実施形態のケース本体であり、（ａ）はそのケース内面図、（ｂ）はそのコネクタ側の側面図、（ｃ）はその下側面図、（ｄ）はそのＢ−Ｂ矢視の要部断面図、（ｅ）はその底面図である。
【図３】本実施形態のケース構造蓋体であり、（ａ）はケース構造蓋体を開いた展開図、（ｂ）はその側面図、（ｃ）は保持シートである。
【図４】本実施形態における心線の配線図であり、（ａ）は心線受部の配線図、（ｂ）はケース構造蓋体内のテープ心線収容部の配線図、（ｃ）は保持シートによる単心線の配線図である。
【図５】本実施形態において、ソケット装着部に雄型ソケットを装着した形態を示す説明図である。
【図６】（ａ）は従来の光ケーブルの分岐接続箱の斜視図を示し、（ｂ）は余長収納部４のトレイを示す図である。
【符号の説明】
【００３４】
１０  コネクタ収納ケース
１１  蝶番
１１ａ  蝶番軸受部
１２  ケース本体
１２ａ  前側壁面
１２ｂ  ソケット装着部
１２ｃ（１２ｃａ，１２ｃｂ）  心線ガイド部
１２ｄ，１２ｅ  突片
１２ｆ  緩嵌部
１２ｇ  突起部
１２１    嵌合孔
１２２    突起部
１２３    ラッチ受部
１２Ａ  心線受部
１３  ケース構造蓋体
１３ａ  ケース構造体
１３ｂ  蓋体
１３ｃ  ヒンジ部
１３ｄ  心線ガイド部
１３ｅ，１３ｆ  突出片
１３ｇ  テープ心線分離部
１３ｈ  切欠部
１３ｉ  係合部
１３１   
１３Ａ  余長受部
１３Ｂ  余長収納部
１４  掛合部
１５  光ソケット
１５ａ  突起部
１６  下側壁面
１６ａ  突片
１６ａ  引き込み孔
１６ｂ  緩嵌部
１７  上側壁面
１７ａ  突片
１８  保持シート
１８ａ  舌片部
１８ｂ  開口部
１８ｃ  係合片
１９  雄型ソケット
１９ａ  突起部
１９ｂ  可動部
１９ｃ  突起
２０  外部コネクタ
２０ａ  嵌合孔
Ｔ１，Ｔ２  テープ心線
【図１】
0004745018.tif 000002
【図２】
0004745018.tif 000003
【図３】
0004745018.tif 000004
【図４】
0004745018.tif 000005
【図５】
0004745018.tif 000006
【図６】
0004745018.tif 000007